(57)【特許請求の範囲】
【請求項１】
建物土台部やオーバハング部の下縁近傍に取り付ける化粧部材であって、建物下地材に対して釘打ちなどにより水平方向に固定されるレールと、該レールに着脱自在であり、レールに取り付けた状態では当該建物の土台部やオーバハング部の下縁部分を覆うように配置されるカバー部材とを少なくとも備え、
前記レールは表面側に雌アリ溝が長手方向に形成されており、前記カバー部材は、前記レールに形成した雌アリ溝に嵌合し得る雄アリ溝を裏面側に長手方向に形成していてそれにより前記レールに係着する基板部分と、該基板部分の下端から前方に突き出た水切り部分とを備えることを特徴とする建物土台部やオーバハング部の下縁近傍に取り付けるための化粧部材。
【請求項２】
前記水切り部分の下面側を閉鎖するための底板部材をさらに備えており、該底板部材は前記カバー部材に着脱自在とされていることを特徴とする請求項１記載の建物土台部やオーバハング部の下縁近傍に取り付けるための化粧部材。
【請求項３】
前記底板部材は通気のための開口を有していることを特徴とする請求項２記載の建物土台部やオーバハング部の下縁近傍に取り付けるための化粧部材。
【発明の詳細な説明】
【０００１】
【発明の属する技術分野】
本発明は、建物土台部やオーバハング部の下縁近傍に取り付ける化粧部材に関する。
【０００２】
【従来の技術】
従来より、窯業系サイディング施工において、建物の土台部に対しては「土台水切り部材」が使用されており、また、オーバハング部に対してはほとんど外壁材がそのままの状態で垂れ壁として使用されるか、場合によっては、「イカ頭出隅部材」と称される水切り部材や専用のオーバハング部用の水切り部材が使用されている。
【０００３】
図３〜図６はその一例を示すものであり、図３では、建物の土台部に近接した縦胴縁１などを利用して水切り部材１０が釘２によって打ち付け固定され、そこに、窯業系外壁材３の下端が係着されている。すなわち、水切り部材１０は、全体がアルミの押し出しなどにより一体成形されており、縦胴縁１などの建物躯体側への固定部となる基板部分１１と、該基板部分１１の下端から前方に突き出た水切り部分１２とを備えている。
【０００４】
基板部分１１には、留め付けようとする外壁材３の下端が係着する水平突片１３が形成され、また、前記水切り部分１２は該水平突片１３に下端を係着して留め付けられる外壁材３の表面よりも前方側に突き出るようにされていて、外壁材３の表面を伝って落下してくる雨水などを建物の外側に流下させるようになっている。水切り部分１２の先端は下方に折り曲げられて前端面１４とされ、さらに、該前端面１４の下端は建物側に引っ込んだ垂片１５とされることにより、水切り部分１２を流下する雨水は、建物側に回り込むことなく、確実に建物の外側に排除される。また、前端面１４及び垂片１５は、水切り部材１０の外観意匠も向上させている。
【０００５】
図４は、建物の土台部に近接した横胴縁４などを利用して水切り部材１０を取り付ける例であり、ここでは、基板部分１１に形成した水平突片１３に対して外壁材３を仮留めし、該仮留めされた外壁材３の上から釘２を打ち付けて、外壁材３と共に水切り部材１０を建物躯体側に留め付け固定している。また、この水切り部材１０は、前端面１４の下端部分から建物側に延びる底板部材１６を備えており、それにより、下から水切り部材を見上げたときの目隠しを形成して外観意匠をさらに向上させている。また、底板部材１６には開口１７が設けてあり、通気性を持たせて結露が生じるのを抑制している。
【０００６】
図５は、オーバハング部にイカ頭出隅部材２０を使用する場合の例であり、建物の出隅部の下端に近接した横胴縁４などを利用して、断面矩形をなす水切り部分２２を持つイカ頭出隅部材２０の基板部分２１を、釘２により打ち付けて固定している。図示の例では、取り付けたイカ頭出隅部材２０の水切り部分２２の上方に外壁材３がやはり釘２により打ち付けられて留め付けられている。なお、図で、５は防水シートである。
【０００７】
図６は、図４に示した水切り部材１０を縦胴縁１を利用して釘２により打ち付け固定する場合であり、この場合には、前記底板部分１６を建物側先端を縦胴縁１の下端に位置させて取り付けることにより、水切り部材１０の躯体側への取り付けを一層安定させている。
【０００８】
【発明が解決しようとする課題】
上記のように、窯業系サイディング施工においては、建物土台部やオーバハング部の下縁に、水切り部材１０あるいはイカ頭出隅部材２０のような化粧部材を取り付けることにより、雨水が建物側へ回り込むのを阻止すると共に、建物土台部やオーバハング部の外観意匠を向上させている。水切り部材１０あるいはイカ頭出隅部材２０の建物側への固定は、その基板部分１１，２１を釘２などを用いて建物躯体部に打ち付けることにより行っており、安定した固定が得られている。
【０００９】
ところで、建物のリフォーム、すなわち、建物を改修あるいは補修するような場合に、外壁材を取り外し、さらに水切り材１０あるいはイカ頭出隅部材２０を取り外すことがどうしても必要となる。しかし、釘打ちされた部材を取り外すことは容易でなく、取り外し作業自体が大きな手間を要することに加え、取り外しに際して、水切り材１０やイカ頭出隅部材２０に変形や損傷を与えたり、また、建物側の縦胴縁や横胴縁に損傷を与えることがおうおうにして生じている。変形や損傷の大きいものは再使用ができないので、新たに水切り部材などを購入することとなり、リフォーム費用の高騰を招いている。
【００１０】
また、従来の水切り部材１０あるいはイカ頭出隅部材２０のような化粧部材は全体が一体のものとして形成されているので、左右２本の化粧部材の接合部から雨水が浸入したときに、浸入した雨水は建物内部にまでそのまま入り込みがちであり、そのために、接合部の少なくとも外部露出面には防水テープを貼り付けるなどの防水施工が必要とされている。
【００１１】
本発明は、かかる現状に鑑みてなされたものであり、建物躯体側への取り付け取り外し作業が容易であり、また、取り外し時に、変形や損傷が生じるのを容易に回避することのできる、建物土台部などのための化粧部材を提供することを目的とする。また、本発明の他の目的は、接合部の防水施工を簡素化あるいは省略できる建物土台部などのための化粧部材を提供することにある。
【００１２】
【課題を解決するための手段】
上記の課題を解決するための本発明による化粧部材は、建物土台部やオーバハング部の下縁近傍に取り付ける化粧部材であって、建物下地材に対して釘打ちなどにより固定されるレールと、該レールに着脱自在であり、レールに取り付けた状態では当該建物の土台部やオーバハング部の下縁部分を覆うように配置されるカバー部材とを少なくとも備えることを特徴とする。
【００１３】
上記の化粧部材を用いて建物土台部やオーバハング部へのサイディング施工を行うには、先ず、建物の土台部やオーバハング部の下縁近傍に位置する縦胴縁や横胴縁などの建物下地材に対して、前記レールを釘打ちなどの適宜の手段により水平方向に打ち付け固定する。次に、固定されたレールに対して、カバー部材をビスや釘などを用いない嵌め合いなどの系着態様により取り付ける。それにより、化粧部材の取り付けは完了する。レール及びカバー部材が取り付け箇所の長さよりも長いものである場合には、適宜の長さに裁断した後に、前記の取り付けを行う。取り付け後の化粧部材に対する外壁材の留め付けは従来法と同様であってよい。
【００１４】
レールは単に長尺状のものであり、釘打ち固定前の取り扱いも容易であり、釘打ち作業も容易である。また、固定されたレールに対するカバー部材の取り付けは、単に横方向からの嵌め合いなどの系着態様であり、ビスや釘などを用いないことから、レールとカバー部材との組み付けも容易である。他の系着態様として、フックとフック片などによる係着であってもよい。この場合には、前方からの系着であり、作業が容易化する。予めレールにカバー部材を組み付けておき、カバー部材をスライドさせるなどしてレールの一部を露出させ、その状態でレールを建物下地材に対して釘打ち固定し、その後カバー部材を元の位置に戻すような取り付け態様も可能である。
【００１５】
建物をリフォームするときに、外壁材と共に、化粧部材を一時的に取り外すことが必要となる場合が生じる。本発明の化粧部材においては、レールに対して横方向にスライドさせるなどの作業により、容易にカバー部材をレールから取り外すことが可能であり、カバー部材に変形や損傷を生じさせることはない。そのために、必要時に容易に再組み付けを行うことが可能となる。他の都合から、すなわち、土台部の外観意匠を変えたいとき、あるいは、何らかの外的衝撃によりカバー部材に損傷が生じているようなとき、などにも、所望のカバー部材と容易に交換することができる。
【００１６】
改築事情によっては、レールを建物躯体側から取り外す必要が生じる。そのときに、レールを取り外すことは必ずしも容易ではなく、レールに損傷を生じさせることも起こりうる。しかし、その場合でも、交換するのはレールのみで済み、本体側であるカバー部材の交換は不要である。それにより、改修コストの低減が図られる。
【００１７】
本発明において、カバー部材の寸法や形状は任意であり、前記図３〜図６に示したような土台水切り部材あるいはイカ頭出隅部材の形状であってよく、さらに他の従来知られた任意の水切り材の形状であってよい。要は、本発明の化粧部材が用いられる建物土台部やオーバハング部の形状に合わせて、適切なものを選択すればよい。
【００１８】
好ましい態様において、前記カバー部材は、前記レールに係着する基板部分と、該基板部分の下端から前方に突き出た水切り部分とを備える。さらに好ましくは、前記水切り部分の下面側を閉鎖するための底板部材をさらに備え、該底板部材は前記カバー部材に着脱自在とされる。このようにすることにより、水切りという本来の目的に加えて、ネズミなどの小動物が建物内部に浸入するのを防ぎ、かつ、高い外観意匠を得るという目的も達成できる。前記底板部材に通気のための開口を形成してもよく、それにより、内部に結露が生じるのを抑制し、また、結露した場合の結露水の流出を確実する。なお、両側方開口部については、水切出隅材や水切入隅部材（いずれも図示せず）と接合されることによって閉塞される。
【００１９】
本発明において、化粧部材は、同じ長さのレール、カバー部材及び底板部材とにより構成されてもよく、それぞれ異なった長さのもので構成されてもよい。後者の場合には、材料の無駄を無くすことができると共に、施工時に、左右２本のカバー部材の垂直端面の接続位置と、レールの垂直端面の接続位置とを容易に横方向にずらすことができ、カバー部材の接続位置の隙間から入り込んだ雨水は前記カバー部材の存在により建物内部にまで浸入するのは阻止されて、外部に確実に排出される。そのために、従来の化粧部材と比較して接合部での防水施工を簡素化あるいは省略することが可能となる。
【００２０】
本発明において、レール及びカバー部材はアルミ材料の押し出し成形などにより任意の形状に成形することができ、その外側面にも適宜の模様を付すことができる。それにより、高い外観意匠性を持たせることが容易となる。
【００２１】
【発明の実施の形態】
以下、図面を参照しながら、本発明の好ましい実施の形態を説明する。図１は、本発明による建物土台部などのための化粧部材の一実施の形態を示す斜視図であり、図２は、図１に示す化粧部材を建物のオーバハング部に取り付けた状態を断面により示している。
【００２２】
この例において、化粧部材１０は、レール３０と、該レール３０に着脱自在とされたカバー部材４０と、前記カバー部材４０の下面側を閉鎖するための底板部材５０とからなる。これらはいずれもアルミの押し出しにより作られている。また、長さは任意であってよく、必要な長さに切断して用いられる。
【００２３】
レール３０は、薄板状の長尺部材であり、裏面側は平坦面とされ、表面側には２本の雌アリ溝３１ａ、３１ｂが長手方向に形成されている。また、上下の平坦面には所定の間隔で止め孔３３が形成されており、釘打ち固定時に利用される。
【００２４】
カバー部材４０は、前記レール３０への係着面となる基板部分４１と、該基板部分４１の下端から斜め下方に向けて前方に突き出た水切り部分４５とを備えており、該水切り部分４５の先端は下方に折り曲げられて前端面４６とされ、さらに、該前端面４６の下端は建物側に引っ込んだ垂片４７とされている。
【００２５】
基板部分４１の裏面には、前記レール３０の表面側に形成した２本の雌アリ溝３１ａ、３１ｂに嵌合し得る２本の雄アリ溝４２ａ、４２ｂが長手方向に形成され、さらに、下端部には、前記底板部材５０の先端を係止するための断面視Ｌ字状をなす第１の係止溝４３が長手方向全長にわたり形成される。また、基板部分４１の表面側の下端部近傍には段部４４が形成されており、そこに留め付ける外壁材３の下端縁が乗り得るようになっている。
【００２６】
前記水切り部分４５は、前記段部４４に下端を係止して留め付けられる外壁材３の表面よりも前方側に突き出る横幅を有し、また、前記前端面４６の裏面には、やはり前記底板部材５０の先端を係止するための断面視Ｔ字状をなす第２の係止溝４８が長手方向全長にわたり形成されている。
【００２７】
底板部材５０は、上板５１と、該上板５１よりも幅広でありかつ上板５１に平行な下板５２と、前記上板５１と下板５２とをつなぐ垂直板５３とから構成される。図２に示すように、上板５１と下板５２との距離、すなわち、前記垂直板５３の高さは、カバー部材４０の裏面に形成した前記第１と第２の係止溝４３、４８の間の距離と等しくされており、また、下板５２の断面視Ｔ字状をなす前縁５５は、上板５１の断面視Ｌ字状をなす前縁５４よりも前方に位置している。そして、前記上板５１の前縁５４は、前記カバー部材４０の裏面に形成した第１の係止溝４３に係合し、板板５２の前縁５５は、第２の係止溝４８に係合し得るようにされている。また、下板５２には、多数の開口５６が形成されている。
【００２８】
次に、上記の化粧部材１０を用いて建物のオーバハング部へサイディング施工を行う一例を説明する。なお、化粧部材１０の施工態様は、建物の新築時の施工であっても、リフォームなどの改修時の施工であってもほぼ同様に行われる。先ず、建物のオーバハング部の下縁近傍に位置する縦胴縁１（あるいは横胴縁４）などの建物下地材に対して、前記レール３０を、そこに形成した開口３３を利用して釘２を打ち込むことにより、水平方向に固定する。次に、固定されたレール３０に形成された２本の雌アリ溝３１ａ、３１ｂに対して、カバー部材４０の基板部分４１の裏面に形成した２本の雄溝４２ａ、４２ｂを横方向から差し込み、スライドさせることにより、カバー部材４０をレール３０に対して系着する。
【００２９】
なお、予めレール３０にカバー部材４０を系着しておき、施工現場で、カバー部材４０を横方向にスライドさせて前記一部の開口３３を露出させ、そこを利用して釘２を打ち込むことにより全体を固定することもできる。また、カバー部材４０を横方向にスライドさせることなく、下方の空間から適宜の工具を用いて開口３３に釘２を打ち込むような固定態様も可能である。
【００３０】
次に、上記のようにした取り付けたカバー部材４０に対して、底板部材５０を取り付ける。取り付けは、前記カバー部材４０の側方に底板部材５０を置き、カバー部材４０の裏面に形成した第１と第２の係止溝４３、４８に対して、底板部材５０の上板５１及び下板５２の前縁５４、５５を横方向から差し込み、スライドさせることにより行う。なお、予め底板部材５０をカバー部材４０に組み付けておき、カバー部材４０及び底板部材５０をレール１０に対して適宜スライドさせさながら化粧部材１０の取り付けを行うことも当然に可能である。
【００３１】
そのようにして、カバー部材４０と底板部材５０とを組み付けた後、表面側には従来と同じ方法により外壁材３の留め付けを行い、下側には、軒天板５を前記底板部材５０の上板５１と下板５２との間の空所にその先端を差し込みながら留め付ける。
【００３２】
建物のリフォーム時などにおいて化粧部材１０の取り外しが必要とされる場合には、外壁材３や軒天板５を取り外した後、レール３０に対して、カバー部材４０と底板部材５０とをそれぞれ横方向にスライドさせる。それにより、カバー部材４０と底板部材５０とは容易にレール３０から分離する。単にスライドさせるのみであり、カバー部材４０や底板部材５０が変形あるいは損傷するようなことはなく、一度分離した後でも、確実に再使用できる。
【００３３】
また、再利用とは別に、固定されたレール３０に形成された雌アリ溝３１ａ、３１ｂに係合できる雄溝４２ａ、４２ｂを裏面に形成した形状や表面化粧の異なるカバー部材を種々用意しておくことにより、所望する場合には、所望の形状を持つカバー部材と容易に交換することもできる。
【００３４】
なお、上記の説明では、化粧部材１０をオーバハング部に用いるとしているが、建物の土台部に対しても同様にして用いうることは勿論である。また、底板部材５０を用いることは必須でないと共に、底板部材５０に相当する部材を図示のように別部材としてではなく、カバー部材４０に一体のものとして予め成形することもできる。
【００３５】
さらに、図示の例では、レール３０と該レール３０に着脱自在とされたカバー部材４０及び底板部材５０とを同じ長さのものとして示しているが、施工時に同じ長さのものを用いることは必ずしも必要でなく、特に図示しないが、異なった長さのものを適宜組み合わせて化粧部材１０の全体を形成することもできる。この場合には、材料の無駄を無くすことができると共に、左右２本のカバー部材４０の垂直端面の接続位置と、レール３０の垂直端面の接続位置とを容易に横方向にずらすことができ、カバー部材４０の接続位置の隙間から雨水がカバー部材４０の内部に入り込むことが生じても、浸入した雨水は、レール３０の存在により建物の内部に浸入することが阻止され、底板部材５０に形成した開口５６から外部に確実に排出されるという、雨水浸入防止効果がもたらされる。
【００３６】
さらに、特に図示しないが、本発明による建物土台部などのための化粧部材を建物の直線部分に用い、出隅部や入隅部には、従来知られた土台水切出隅、通気見切縁出隅、縦曲がりなどを用いる施工方法も可能である。
【００３７】
【発明の効果】
本発明による建物土台部などのための化粧部材を用いることにより、建物のリフォーム時などでの化粧部材の取り外し時に、化粧部材に変形や損傷が生じるのを容易に回避することのでき、再利用が可能となる。それにより、改修コストの低減が図れる。
また、土台部下縁の外観意匠を変えたいとき、あるいは、何らかの外的衝撃によりカバー部材に損傷が生じているようなとき、などにも、所望の化粧部材と容易に交換することができる。
【００３８】
さらに、本発明による化粧部材はアルミ材料の押し出し成形などにより任意の形状に成形することができ、その外側面にも適宜の模様を付すことができる。それにより、高い外観意匠性を持たせることが容易となる。
また、本発明による建物土台部などのための化粧部材の好ましい態様においては、左右２本の化粧部材の接合部から入り込む雨水が建物内部に入り込むのを容易に阻止することができ、そのために、接合部の防水施工を簡素化あるいは省略することができる。
【図面の簡単な説明】
【図１】本発明による建物土台部などのための化粧部材の一実施形態を示す斜視図。
【図２】図１に示す化粧部材を建物のオーバハング部に取り付けた状態を断面により示す図。
【図３】建物土台部などのための従来の化粧部材を用いた施工態様を説明する図。
【図４】建物土台部などのための従来の他の化粧部材を用いた施工態様を説明する図。
【図５】建物土台部などのための従来のさらに他の化粧部材を用いた施工態様を説明する図。
【図６】建物土台部などのための従来のさらに他の化粧部材を用いた施工態様を説明する図。
【符号の説明】
１０…建物土台部などのための化粧部材、３０…レール、４０…カバー部材、５０…底板部材、４１…カバー部材の基板部分、４５…カバー部材の水切り部分、３…外装材
【図１】
0003910756.tif 000002
【図２】
0003910756.tif 000003
【図３】
0003910756.tif 000004
【図４】
0003910756.tif 000005
【図５】
0003910756.tif 000006
【図６】
0003910756.tif 000007